(57)【要約】【課題】防犯警戒モードのセット操作をすれば直ちに、家人が外出するのに通過する区域以外を警戒状態として、不審者に侵入の隙を与えない住宅防犯監視システムを提供する。【解決手段】共通の受信機１は、防犯センサのうちから、特定の防犯センサを最終出入口センサ２として割付け設定する手段と、外出防犯モード選択スイッチと、外出防犯モードが選択指示されたときには、最終出入口特定警戒モード、すなわち、最終出入口センサ以外に対しては、検知信号を受け付けて即時に警報を発する警戒モードに設定し、更に、その後、最終出入口センサ２から検知信号を受けたときには、すべての監視区域を警戒モードに設定する信号処理部とを備えている。【選択図】図１
2004133817.tif 000002
【特許請求の範囲】
【請求項１】
監視区域内に設置された複数の防犯センサからの検知信号を共通の受信機で受信して、警報を出力するようにした防犯監視システムにおいて、
上記共通の受信機は、
上記防犯センサのうちから、特定の防犯センサを最終出入口センサとして割付け設定する手段と、
外出防犯モード選択スイッチと、
外出防犯モードが選択指示されたときには、第１の最終出入口特定警戒モード、すなわち、上記最終出入口センサ以外に対しては、検知信号を受け付けて即時に警報を発する警戒モードに設定し、更に、その後、上記最終出入口センサから検知信号を受けたときには、すべての監視区域を警戒モードに設定する信号処理部を備えたことを特徴とする防犯監視システム。
【請求項２】
監視区域内に設置された複数の防犯センサからの検知信号を共通の受信機で受信して、警報を出力するようにした防犯監視システムにおいて、
上記共通の受信機は、
上記防犯センサのうちから、２以上の特定の防犯センサのそれぞれを、最終出入口センサとして割付け設定する手段と、
外出防犯モード選択スイッチと、
外出防犯モードが選択指示されたときには、第２の最終出入口特定警戒モード、すなわち、上記最終出入口センサ以外に対しては、検知信号を受け付けて即時に警報を発する警戒モードに設定し、更に、その後、いずれかの最終出入口センサから検知信号を受けたときには、すべての監視区域を警戒モードに設定する信号処理部を備えたことを特徴とする防犯監視システム。
【請求項３】
監視区域内に設置された複数の防犯センサからの検知信号を共通の受信機で受信して、警報を出力するようにした防犯監視システムにおいて、
上記共通の受信機は、
上記防犯センサのうちから、特定の防犯センサを最終出入口センサとして割付け設定する手段と、
外出防犯モード選択スイッチと、
外出防犯モードが選択指示されたときには、第３の最終出入口特定警戒モード、すなわち、上記最終出入口センサから検知信号を受けるまで待機し、その最終出入口センサから検知信号を受けたときには、すべての監視区域を警戒モードに設定する信号処理部を備えたことを特徴とする防犯監視システム。
【請求項４】
監視区域内に設置された複数の防犯センサからの検知信号を共通の受信機で受信して、警報を出力するようにした防犯監視システムにおいて、
上記共通の受信機は、
上記防犯センサのうちから、特定の防犯センサを、屋内最終出入口センサまたは屋外センサとして割付け設定する手段と、
外出防犯モード選択スイッチと、
外出防犯モードが選択指示されたときには、第４の最終出入口特定警戒モード、すなわち、上記屋内最終出入口センサから検知信号を受けるまで待機し、その後、屋内最終出入口センサから検知信号を受けたときには、屋内すべての監視区域を警戒モードに設定し、
それから、所定時間経過後に、屋外を含むすべての監視区域を警戒モードに設定する信号処理部を備えたことを特徴とする防犯監視システム。
【請求項５】
監視区域内に設置された複数の防犯センサからの検知信号を共通の受信機で受信して、警報を出力するようにした防犯監視システムにおいて、
上記共通の受信機は、
上記防犯センサのうちで、外出時の経路の出入口に設けた防犯センサを、外出順路に対応させた外出順路特定センサとして割付け設定する手段と、
外出防犯モード選択スイッチと、
外出防犯モードが選択指示されたときには、第１の外出順路特定警戒モード、すなわち、上記外出順路特定センサ以外の防犯センサの管轄する監視区域は、それらの防犯センサから検知信号を受ければ直ちに警報を出力させる警戒モードに設定し、更に、その後は、上記外出順路特定センサのそれぞれから検知信号を受信する毎に、それぞれの外出順路特定センサが管轄する監視区域を順次、警戒モードにさせ、これによって、すべての監視区域を警戒モードとして設定する信号処理部を備えたことを特徴とする防犯監視システム。
【請求項６】
監視区域内に設置された複数の防犯センサからの検知信号を共通の受信機で受信して、警報を出力するようにした防犯監視システムにおいて、
上記共通の受信機は、
上記防犯センサのうちで、外出時の経路の出入口に設けた防犯センサを、外出順路に対応させた外出順路特定センサとして割付け設定する手段と、
外出防犯モード選択スイッチと、
外出防犯モードが選択指示されたときには、第２の外出順路特定警戒モード、すなわち、上記外出順路特定センサ以外の防犯センサの管轄する監視区域は、それらの防犯センサから検知信号を受ければ直ちに警報を出力させる警戒モードに設定し、更にその後は、上記外出順路特定センサのうちで最も外方に設置された外出順路センサから検知信号を受信した時点で、外出順路特定センサが管轄する監視区域を含む、すべての監視区域を警戒モードに設定する信号処理部を備えたことを特徴とする防犯監視システム。
【請求項７】
監視区域内に設置された複数の防犯センサからの検知信号を共通の受信機で受信して、警報を出力するようにした防犯監視システムにおいて、
上記共通の受信機は、
上記防犯センサのうちで、外出時の経路の出入口に設けた防犯センサを、外出順路に対応させた外出順路特定センサとして割付け設定する手段と、
外出防犯モードに対して、請求項５に記載した第１の外出順路警戒モードと、
請求項６に記載した第２の外出順路警戒モードとを選択する外出順路特定警戒モード選択スイッチと、
この外出順路警戒モード選択スイッチの選択設定操作を判別して、上記第１、第２の外出順路警戒特定モードを選択的に実行する信号処理部を備えたことを特徴とする防犯監視システム。
【請求項８】
請求項１〜４において、
上記最終出入口センサはワイヤレス発信部を備え、
かつ上記共通の受信機はワイヤレス受信処理部を備えており、
上記最終出入口センサと、上記共通の受信機との間では、電波信号を送受して、必要な防犯監視が実行されている防犯監視システム。
【請求項９】
請求項１〜４において、
上記最終出入口センサは、予め上記共通の受信機側に設けた、専用の接続端子に有線接続されている防犯監視システム。
【請求項１０】
請求項５〜７のいずれかにおいて、
上記外出順路特定センサはワイヤレス発信部を備え、
かつ上記共通の受信機はワイヤレス受信処理部を備えており、
上記外出順路特定センサと、上記共通の受信機との間では、電波信号を送受して、必要な防犯監視が実行されている防犯監視システム。
【請求項１１】
請求項５〜７のいずれかにおいて、
上記外出順路特定センサは、予め上記共通の受信機側に設けた、専用の接続端子に有線接続されている防犯監視システム。
【請求項１２】
請求項８または９において、
上記最終出入口センサは、人体の一定方向への移動を検知する人体検知センサで構成されている防犯監視システム。
【請求項１３】
請求項８または９において、
上記最終出入口センサは、窓の開操作を検知する窓開操作検知センサで構成されている防犯監視システム。
【請求項１４】
請求項１０または１１において、
上記外出順路特定センサは、人体の一定方向への移動を検知する人体検知センサで構成されている防犯監視システム。
【請求項１５】
請求項１０または１１において、
上記外出順路特定センサは、窓の開操作を検知する窓開操作検知センサで構成されている防犯監視システム。
【発明の詳細な説明】
【０００１】
【発明の属する技術分野】
本発明は、監視区域内に設置された複数の防犯センサからの検知信号を共通の受信機で受信して、警報を出力するようにした防犯監視システムの改良に関する。
【０００２】
【従来の技術】
従来より、下記特許文献１にも示すように、住宅防犯監視システムが広く使用されている。
【０００３】
このものは、出入口や勝手口など、住宅の監視区域毎に設置された防犯センサと、これらの防犯センサが接続され、住宅内に設置された受信機とで構成されており、受信機は、警戒モードにセットされてからは、各監視区域を警戒モードとし、それぞれの防犯センサからの検知信号を受けたときには警報を発する。
【０００４】
【特許文献１】
特開平５−２９８５６３号広報
【発明が解決しようとする課題】
ところが、上記した従来のシステムでは、図１４に示すように、受信機で警戒モードにセットしてから、３０秒〜１分ほどの警戒開始遅延時間が経過後、警戒モードを実行するようにしている。
【０００５】
これは、外出しようとする家人がモードセットしてから、玄関を開けるなどしてその個所のセンサが作動し警報が出力されてしまうのを防止するための処置である。
【０００６】
このような構成だと、家人がモードセットしてから警戒開始遅延時間内に住居を出られない場合には用を成さないし、遅延時間が経過するまでは防犯警戒モードが実行されていないため、その時間内に家人が住居を出たとしても、その時間内に不審者が侵入できてしまう。
【０００７】
本発明は、このような問題を解決するために提案されるものであり、防犯警戒モードのセット操作をすれば直ちに、家人が外出するのに通過する区域以外を警戒状態として、不審者に侵入の隙を与えない住宅防犯監視システムを提供することを目的としている。
【０００８】
【課題を解決するための手段】
上記目的を達成するために、請求項１では第１の本発明を提案しており、共通の受信機は、防犯センサのうちから、特定の防犯センサを最終出入口センサとして割付け設定する手段と、外出防犯モード選択スイッチと、外出防犯モードが選択指示されたときには、最終出入口特定警戒モード、すなわち、最終出入口センサ以外に対しては、検知信号を受け付けて即時に警報を発する警戒モードに設定し、更に、その後、最終出入口センサから検知信号を受けたときには、すべての監視区域を警戒モードに設定する信号処理部とを備えている。
【０００９】
請求項２では第２の本発明を提案しており、共通の受信機は、防犯センサのうちから、２以上の特定の防犯センサのそれぞれを、最終出入口センサとして割付け設定する手段と、外出防犯モード選択スイッチと、外出防犯モードが選択指示されたときには、第２の最終出入口特定警戒モード、すなわち、最終出入口センサ以外に対しては、検知信号を受け付けて即時に警報を発する警戒モードに設定し、更に、その後、いずれかの最終出入口センサから検知信号を受けたときには、すべての監視区域を警戒モードに設定する信号処理部を備えたことを特徴とする。
【００１０】
請求項３では、第３の本発明を提案しており、共通の受信機は、防犯センサのうちから、特定の防犯センサを最終出入口センサとして割付け設定する手段と、外出防犯モード選択スイッチと、外出防犯モードが選択指示されたときには、第３の最終出入口特定警戒モード、すなわち、上記最終出入口センサから検知信号を受けるまで待機し、その最終出入口センサから検知信号を受けたときには、すべての監視区域を警戒モードに設定する信号処理部を備えたことを特徴とする。
【００１１】
請求項４では、第４の本発明を提案しており、共通の受信機は、防犯センサのうちから、特定の防犯センサを、屋内最終出入口センサまたは屋外センサとして割付け設定する手段と、外出防犯モード選択スイッチと、外出防犯モードが選択指示されたときには、第４の最終出入口特定警戒モード、すなわち、屋内最終出入口センサから検知信号を受けるまで待機し、その後、屋内最終出入口センサから検知信号を受けたときには、屋内すべての監視区域を警戒モードに設定し、それから、所定時間経過後に、屋外を含むすべての監視区域を警戒モードに設定する信号処理部を備えたことを特徴とする。
【００１２】
請求項５では第５の本発明を提案しており、共通の受信機は、防犯センサのうちで、外出時の経路の出入口に設けた防犯センサを、外出順路に対応させた外出順路特定センサとして割付け設定する手段と、外出防犯モード選択スイッチと、外出防犯モードが選択指示されたときには、第１の外出順路特定警戒モード、すなわち、外出順路特定センサ以外の防犯センサの管轄する監視区域は、それらの防犯センサから検知信号を受ければ直ちに警報を出力させる警戒モードに設定し、更に、その後は、外出順路特定センサのそれぞれから検知信号を受信する毎に、それぞれの外出順路特定センサが管轄する監視区域を順次、警戒モードにさせ、これによって、すべての監視区域を警戒モードとして設定する信号処理部を備えたことを特徴とする。
【００１３】
請求項６では第６の本発明を提案しており、共通の受信機は、防犯センサのうちで、外出時の経路の出入口に設けた防犯センサを、外出順路に対応させた外出順路特定センサとして割付け設定する手段と、外出防犯モード選択スイッチと、外出防犯モードが選択指示されたときには、第２の外出順路特定警戒モード、すなわち、外出順路特定センサ以外の防犯センサの管轄する監視区域は、それらの防犯センサから検知信号を受ければ直ちに警報を出力させる警戒モードに設定し、更にその後は、外出順路特定センサのうちで最も外方に設置された外出順路センサから検知信号を受信した時点で、外出順路特定センサが管轄する監視区域を含む、すべての監視区域を警戒モードに設定する信号処理部を備えたことを特徴とする。
【００１４】
請求項７では第７の本発明を提案しており、共通の受信機は、防犯センサのうちで、外出時の経路の出入口に設けた防犯センサを、外出順路に対応させた外出順路特定センサとして割付け設定する手段と、外出防犯モードに対して、請求項５に記載した第１の外出順路警戒モードと、請求項６に記載した第２の外出順路警戒モードとを選択する外出順路特定警戒モード選択スイッチと、この外出順路警戒モード選択スイッチの選択設定操作を判別して、第１、第２の外出順路警戒特定モードを選択的に実行する信号処理部を備えたことを特徴とする。
【００１５】
請求項８、９では、第１〜４の本発明で適用される最終出入口センサ、受信機の構成を提案している。
【００１６】
すなわち、請求項８では、最終出入口センサはワイヤレス発信部を備え、かつ共通の受信機はワイヤレス受信処理部を備えており、最終出入口センサと、共通の受信機との間では、電波信号を送受して、必要な防犯監視が実行されている。
【００１７】
また、請求項９では、最終出入口センサは、予め共通の受信機側に設けた、専用の接続端子に有線接続されている。
【００１８】
請求項１０，１１では、第５〜第７の本発明で適用される外出順路特定センサ、受信機の構成を提案している。
【００１９】
すなわち、請求項１０では、外出順路特定センサはワイヤレス発信部を備え、かつ共通の受信機はワイヤレス受信処理部を備えており、外出順路特定センサと、共通の受信機との間では、電波信号を送受して、必要な防犯監視が実行されている。
【００２０】
また、請求項１１では、外出順路特定センサは、予め共通の受信機側に設けた、専用の接続端子に有線接続されている。
【００２１】
請求項１２，１３では、第１〜４の本発明で適用される最終出入口センサの具体例を提案している。
【００２２】
請求項１２では、最終出入口センサは、人体の一定方向への移動を検知する人体検知センサで構成されている。また、請求項１３では、最終出入口センサは、窓の開操作を検知する窓開操作検知センサで構成されている。
【００２３】
請求項１４、１５は、第５〜７の本発明で適用される外出順路特定センサの具体例を提案している。
【００２４】
すなわち、請求項１４では、外出順路特定センサは、人体の一定方向への移動を検知する人体検知センサで構成されている。また、請求項１５では、外出順路特定センサは、窓の開操作を検知する窓開操作検知センサで構成されている。
【００２５】
【発明の実施の形態】
以下に、本発明の実施の形態について、図面とともに説明する。図１は、第１〜第４の本発明のシステム構成の一例を示す図である。なお、本実施の形態で用いる「検知信号」とは、パルス信号を意味し、一定のレベルから他のレベルに達し、元の一定のレベルに戻る信号のをいう。
【００２６】
このものは、受信機１と、防犯センサ２，３とを組み合わせて構成されている。防犯センサ２、３は、ワイヤレス防犯センサで構成しており、受信機１には、防犯センサ２、３の識別情報（例えばＩＤコード）が登録されており、防犯センサ２については、後述する最終出入口センサ設定手段１５Ｂの操作により、最終出入口センサの旨を示す情報が識別情報とともに登録されることにより、最終出入口センサとして割り付け設定されている。
【００２７】
受信機１は、図２に示す構成をしている。すなわち、この受信機１を制御する信号処理部１０と、ワイヤレス受信回路１１と、表示部１２と、報知部１３と、防犯センサ２，３の識別情報を登録する記憶部１４と、外出防犯モード選択スイッチ１５Ａと最終出入口センサ設定手段１５Ｂとを有する操作部１５とを備える。
【００２８】
この受信機１は、後述する防犯モードを実行しているときには、防犯センサ２，３からの検知信号入力に対して待機し、入力されれば、その信号とともに送出される識別情報を認識し、その識別情報とともに、後述する情報が登録されているか否かを判別する。
【００２９】
なお、外出防犯モード選択スイッチ１５Ａの機能については後述する。
【００３０】
防犯センサ２，３は、図３に示す構成をしている。すなわち、防犯センサ２，３の制御をする信号処理部２０と、アンテナ部２１、無線送信部２２、ＰＬＬ制御部２３で構成され、検知信号を識別情報とともに送出するワイヤレス発信部と、固有の識別情報を記憶した記憶部２４と、操作部２５と、表示部２６と、検知部２７とを備える。
【００３１】
このような防犯センサ、特に、最終出入口センサや、後述する外出順路特定センサは、人体の一定方向への移動を検知する人体検知センサや、窓の開操作を検知する窓開操作検知センサで構成すれば、以下の点で有益である。
【００３２】
つまり、このような構成の人体検知センサを用いれば、人体の一定方向への移動を検知するため、外出方向について検知するように設置しておけば、一旦そのセンサを通過した家人が忘れ物に気づいて取りに戻る場合に、検知方向とは逆に通過しても検知信号は出力されず、警報が出力されることがない。
【００３３】
なお、このような人体検知センサを用いる場合、外出モードが選択されてから所定時間（およそ外出モード選択から当該区域が警戒モードとなるまでの時間）は、家人の外出方向について検知するようにしておき、所定時間経過後になってから、つまり、およそ当該区域が警戒モードとなってからは、外出方向とは逆方向（住居に入っていく方向）についても検知するようにしておけば、当該区域が警戒状態となってから両方向移動を検知でき、当該区域を通じた侵入の隙を与えないようにすることができる。
【００３４】
一方、窓開操作検知センサを用いれば、窓を開けた後これを閉じないと検知信号が復旧しないため、後述の説明からもわかるように、その区域が警戒モードに設定されず、窓を開けて外出しようとした家人が忘れ物に気づいてとりに戻る場合に、住宅内に戻っても警報が出力されることがない。
【００３５】
このような構成によれば、以下の処理をなすことができる。まず、第１の本発明（第１の最終出入口特定警戒モード）について、図４のタイムチャートとともに説明する。すなわち、受信機１において、外出防犯モード選択スイッチ１５Ａが操作されたときには、信号処理部１０は、最終出入口以外のセンサ、すなわち、防犯センサ３の監視区域については即座に警戒モードに設定し（部分警戒）、最終出入口センサ、すなわち、防犯センサ２から検知信号を受けたときには、この信号とともに認識した識別情報とともに最終出入口センサの情報が登録されているので、その警戒区域についても警戒モードに設定する。つまり、すべての警戒区域が警戒モードとなる（全警戒）。
【００３６】
次に第２の本発明（第２の最終出入口特定警戒モード）について、図５のタイムチャートとともに説明する。ここでは、受信機１には、最終出入口センサとして２以上の防犯センサ２が登録されており、信号処理部１０は、外出防犯モード選択スイッチ１５Ａが操作されたときには、最終出入口以外のセンサ、すなわち、防犯センサ３の監視区域については即座に警戒モードに設定し（部分警戒）、いずれかの最終出入口センサ、すなわち、いずれかの防犯センサ２から検知信号を受けたときには、この信号とともに認識した識別情報とともに最終出入口センサの情報が登録されているので、全警戒区域について警戒モードに設定する（全警戒）。
【００３７】
更に、第３の本発明（第３の最終出入口特定警戒モード）では、図６のタイムチャートに示すように、信号処理部１０は、外出防犯モード選択スイッチ１５Ａが操作されたときには、最終出入口センサ、すなわち、防犯センサ２から検知信号を受けるまで待機し、防犯センサ２から検知信号を受けたときには、すべての監視区域を警戒モードに設定する（全警戒）。
【００３８】
更に、第４の本発明（第４の最終出入口特定警戒モード）では、図７のタイムチャートに示すように、受信機１には、防犯センサ２が、最終出入口センサまたは屋外センサとして登録されており、信号処理部１０は、外出防犯モード選択スイッチ１５Ａが操作されたときには、屋内最終出入口センサとなる防犯センサ２から検知信号を受けるまで待機し、その屋内最終出入口センサから検知信号を受けたときには、屋内すべての監視区域を警戒モードに設定し（屋内警戒）、所定時間経過後に、屋外を含むすべての監視区域を警戒モードに設定する（全警戒）。なお、この所定時間は、信号処理部１０や記憶部１４に予め設定登録されている。
【００３９】
ここで、受信機１は、上記例では、ワイヤレス受信回路を組み込んだものを適用しているが、図８に示すような防犯センサ用有線接続端子を備えたもので構成してもよい。
【００４０】
すなわち、この受信機１Ａは、防犯センサ用有線接続端子１６Ａ〜１６Ｃを有するインターフェース１６を備えており、防犯センサ用有線接続端子１６Ａ〜１６Ｃの各々には、各監視区域毎に防犯センサを有線接続している。
【００４１】
信号処理部１０には、最終出入口センサ設定手段１５Ｂの操作により、防犯センサ２が接続された防犯センサ用有線接続端子１６Ａ〜１６Ｃのいずれかに対し、最終出入口センサの情報が登録されることにより、最終出入口センサとして割り付け設定されている。
【００４２】
外出防犯モード選択スイッチ１５Ａが操作されたときには、最終出入口以外のセンサ、すなわち、防犯センサ３の監視区域については即座に警戒モードに設定し（部分警戒）、最終出入口センサ、すなわち、防犯センサ２が接続される端子１６Ａ〜１６Ｃから検知信号を受けたときには、その端子１６Ａ〜１６Ｃが最終出入口センサとして設定されているため、その警戒区域についても警戒モードに設定する。つまり、すべての警戒区域が警戒モードとなる（全警戒）。
【００４３】
なお、有線接続端子１６Ａ〜１６Ｃに接続する防犯センサは、図９に示すように、ワイヤレス信号処理部を組み込んでワイヤレス防犯センサ４として構成することができる。このものは、ワイヤレス信号処理部４０と、アンテナ部４１と、無線送信部４２と、ＰＬＬ制御部４３と、防犯センサ４の固有の識別情報を記憶する記憶部４４と、操作部４５と、表示部４６と、有線防犯センサからの検知信号を電波信号に変換するデータ変換部４７と、有線防犯センサを接続し、有線防犯センサからの検知信号を受けるデータ入力部４８とを備える。
【００４４】
図１０は、第５、第６の本発明のシステム構成の一例を示す図である。このものでは、受信機１Ａは、外出順路センサ設定手段１５Ｃを備えている。受信機１Ａのその他の構成は、図２の受信機１と同様であるため説明を省略する。
【００４５】
外出順路センサ設定手段１５Ｃでは、その操作により、外出時の経路の出入口の特定のセンサを、外出順路に対応させて、外出順路１のセンサ、外出順路２のセンサ、外出順路３のセンサ・・・という設定ができる。
【００４６】
受信機１Ａには、外出順路センサ設定手段１５Ｃの操作により、防犯センサ２（＃１）が玄関センサとして、防犯センサ２（＃２）が門センサとして、それぞれが外出順路１，２のセンサとして割り付け設定されている。なお、この設定は、防犯センサ２（＃１）についてはその識別情報が玄関の情報とともに登録され、防犯センサ（＃２）についてはその識別情報が門の情報として登録されることで行われる。
【００４７】
このような構成によれば、受信機１Ａの信号処理部１０は、以下の処理をすることができる。すなわち、第５の本発明（第１の外出順路特定警戒モード）では、図１１のタイムチャートに示すように、外出防犯モード選択スイッチ１５Ａが操作されたときには、外出順路特定センサ以外の防犯センサ、すなわち、防犯センサ３の管轄する監視区域は、即座に警戒モードに設定する（部分警戒）。
その後、外出順路１のセンサ、すなわち、玄関のセンサ２（＃１）から検知信号を受けたときには、この信号とともに認識した識別情報とともに玄関の情報が登録されているので、そのセンサ（＃１）の管轄区域、玄関を警戒モードに設定する。
【００４８】
そして、外出順路２のセンサ、すなわち、門のセンサ２（＃２）から検知信号を受けたときには、この信号とともに認識した識別情報とともに門の情報が登録されているので、そのセンサ２（＃２）の管轄区域、門を警戒モードに設定し、すべての警戒区域を警戒モードに設定する（全警戒）。
また、第６の本発明（第２の外出順路特定警戒モード）では、図１２のタイムチャートに示すように、外出防犯モード選択スイッチ１５Ａが操作されたときには、外出順路特定センサ以外の防犯センサ、すなわち、防犯センサ３の管轄する監視区域は、即座に警戒モードに設定する（部分警戒）。
【００４９】
その後、信号処理部１０は、外出順路特定センサのうち最も外方に設置されたセンサ、すなわち、門のセンサ２（＃２）から検出信号を受けたときには、外出順路特定センサが管轄する警戒区域を警戒モードとする。
【００５０】
すなわち、外出順路１のセンサ、すなわち、玄関のセンサ２（＃１）から検知信号を受けたときには、この信号とともに認識した識別情報とともに玄関の情報が登録されているので、まだ外出順路特定センサが管轄する警戒区域を警戒モードとせず、外出順路２のセンサ、すなわち、門のセンサ２（＃２）から検知信号を受けたときには、この信号とともに認識した識別情報とともに門の情報が登録されているので、その門の情報より最も外方にあると判断して、外出順路特定センサが管轄する警戒区域を警戒モードに設定し、すべての警戒区域を警戒モードに設定する（全警戒）。
【００５１】
ここで、第５、第６の本発明も、受信機１Ａは、第１〜４の本発明と同様に、防犯センサ用有線接続端子を備えたもので構成し、信号処理部１０では、外出順路センサ設定手段１５Ｃの操作により、防犯センサ２（＃１）が接続された端子１６Ａについて、第１の外出順路として玄関の情報を登録し、防犯センサ２（＃２）が接続された端子１６Ｂについて、第２の外出順路として門の情報を登録すれば、実現することができる。
【００５２】
図１３は、第７の本発明のシステム構成の一例を示す図である。このものでは、受信機１Ｂでは、外出順路特定警戒モード選択スイッチ１５Ｄを設けている。その他の構成については、図１０に示す受信機１Ａと同様であるので説明を省略する。
【００５３】
外出順路特定警戒モード選択スイッチ１５Ｄを操作すれば、受信機１Ｂでは、第５の本発明の第１の外出順路警戒モードを実行するか、第６の本発明の第２の外出順路警戒モードを実行するかが選択でき、信号処理部１０は、その選択状態を判別することにより、第１、第２いずれかの外出順路警戒モードを実行する。
【００５４】
なお、受信機１〜１Ｂには、防犯センサ２の識別情報とともに、最終出入口あるいは外出順路の情報が登録されているが、防犯センサ２にこれらの情報も記憶させておき、検知信号の出力時にこれらも含めるようにすれば、受信機１〜１Ｂではこれらの情報を登録しておく必要がなくなり、プログラム中でこれらの情報を受信すれば、最終出入口あるいは外出順路を警戒モードに設定するように設定しておくだけで、上記処理が可能となる。
【００５５】
【発明の効果】
以上の説明からも理解できるように、本発明の請求項１では、外出時に警戒セットしても、最終出入口センサから検知信号を受けない限り外出できる。したがって、警戒モードに設定した後、外出に手間取った場合にも、遅延時間を設けた従来システムのように、受信機の設置場所まで戻って警戒セットを解除する手間がない。
【００５６】
また、外出時に警戒セットした後、最終出入口センサの監視区域を通過して外出すれば、その時点で全警戒区域の警戒モードが設定されるため、遅延時間を設けた従来システムのように、その時間内に不審者が侵入できる隙を与えることがない。
【００５７】
請求項２では、２以上の最終出入口がある場合、いずれの出入口から外出しても全区域が警戒モードに設定され、複数の最終出入口をもつ邸宅などにおいて有益にできる。
【００５８】
請求項３では、外出時に警戒セットしても最終出入口に到達しない限り、住居は全く警戒モードとならない。そのため、室内などの最終出入口以外の場所に、熱線センサなどの人体の移動を検知するセンサを用いる場合、最終出入口に出るまでにその場所を通過しても警報は出力されず利便であり、最終出入口を通過して外出した時点で全警戒区域が警戒モードとなり、セキュリティ上有益にできる。
【００５９】
請求項４では、最終出入口を通過した時点で屋内全区域が警戒モードとなり、それから一定時間経過後に屋外も含めた全区域が警戒モードとなる。そのため、家人が建物をでてからは屋内のセキュリティが確保できる。
そして、それから一定時間は屋外は無警戒なので車に乗り込んだり、遠く離れた門までの移動時間が確保でき、一定時間経過後は全区域のセキュリティが確保できる。
【００６０】
請求項５では、監視区域を、家人の外出時の動作に従って、順次、内から外へ拡大させて設定できるので、従来のように外出に手間取った場合に、受信機の設置された場所に戻って警戒を解除しなければならないという手間がない。
また、監視区域を順次、内から外に拡大させて設定できるので、不用意に無警戒状態を生じることがない。
【００６１】
更に、外出時に警戒セットした後、外出順路以外のセンサの管轄区域は警戒モードとされ、それから、外出順路の家人の通過に伴って、通過途中のセンサの管轄区域が警戒モードとされてゆくので、家人の目の届かない場所は常に警戒モードとでき、遅延時間を設けた従来システムのように、その時間内に不審者が侵入できる隙を与えることがない。
【００６２】
請求項６では、監視区域を、家人の外出時の動作に従って、順次、内から外へ拡大させて設定できるので、従来のように外出に手間取った場合に、受信機の設置された場所に戻って警戒を解除しなければならないという手間がない。
また、監視区域を順次、内から外に拡大させて設定できるので、不用意に無警戒状態を生じることがない。
【００６３】
更に、外出時に警戒セットした後、外出順路以外のセンサの管轄区域は警戒モードとされ、それから、外出順路のうち最も外方のセンサを家人が通過したときに、外出順路の管轄区域が警戒モードとされるので、外出順路の途中に家人が忘れ物を取りに戻った場合、外出順路はまだ警戒モードではないため、警報が出力されず利便である。また、遅延時間を設けた従来システムのように、その時間内に不審者が侵入できる隙を与えることがない。
【００６４】
請求項７では、外出時警戒モードとして、請求項５，６に記載した第１、第２の外出順路特定警戒モードが、ユーザ側で使用目的に応じて任意に選択できる。
【００６５】
請求項８、１０では、最終出入口センサあるいは外出順路特定センサは、ワイヤレス発信部を備え、かつ共通の受信機はワイヤレス受信処理部を備えており、これらのセンサと、共通の受信機との間では、電波信号を送受して、必要な防犯監視が実行されているので、配線を必要とせず、施工が容易にできる。
【００６６】
請求項９、１１では、最終出入口センサあるいは外出順路特定センサは、予め共通の受信機側に設けた、専用の接続端子に有線接続されているので、従来仕様の受信機、つまり、センサを専用端子に有線接続するタイプの受信機を用いて本発明を構成できる。そのため、従来システムからの移行がしやすく、コスト抑制となる。
【００６７】
請求項１２、１４では、最終出入口センサあるいは外出順路特定センサは、人体の一定方向への移動を検知する人体検知センサで構成されているので、外出方向について検知するように設置しておけば、一旦そのセンサを通過した家人が忘れ物に気づいて取りに戻る場合に、検知方向とは逆に通過しても検知信号は出力されず、警報が出力されることがない。
【００６８】
請求項１３，１５では、最終出入口センサあるいは外出順路特定センサは、窓の開操作を検知する窓開操作検知センサで構成されている。そのため、窓を開けた後これを閉じないと検知信号が復旧しないため、その区域が警戒モードに設定されず、窓を開けて外出しようとした家人が忘れ物に気づいてとりに戻る場合に、住宅内に戻っても警報が出力されることがない。
【図面の簡単な説明】
【図１】第１〜４の本発明のシステム構成の一例を示す図である。
【図２】受信機の要部構成の一例を示す図である（ワイヤレス受信回路を組み込んだ例を示す）。
【図３】最終出入口センサをワイヤレス防犯センサとして構成した例を示すブロック図である。
【図４】第１の本発明の基本動作を示すタイムチャートである（第１の最終出入口特定警戒モード）。
【図５】第２の本発明の基本動作を示すタイムチャートである（第２の最終出入口特定警戒モード）。
【図６】第３の本発明の基本動作を示すタイムチャートである（第３の最終出入口特定警戒モード）。
【図７】第４の本発明の基本動作を示すタイムチャートである（第４の最終出入口特定警戒モード）。
【図８】受信機の要部構成の他例を示す図である（防犯センサ用有線接続端子を備えた例を示す）。
【図９】有線防犯センサにワイヤレス信号処理部を組み込んでワイヤレス防犯センサを構成する場合の基本構成を示すブロック図である。
【図１０】第５、６の本発明のシステム構成の一例を示す図である。
【図１１】第５の本発明の動作を示すタイムチャートである（第１の外出順路特定警戒モード）。
【図１２】第６の本発明の動作を示すタイムチャートである（第２の外出順路特定警戒モード）。
【図１３】第７の本発明のシステム構成の一例を示す図である。
【図１４】従来の防犯監視システムの動作を示すタイムチャートである（警戒遅延モード）。
【符号の説明】
１、１Ａ、１Ｂ・・・受信機
２・・・最終出入口センサ、外出順路特定センサ
３・・・その他の防犯センサ
１０・・・信号処理部（受信機側）
１１・・・ワイヤレス受信回路（受信機側）
１５Ａ・・・外出防犯モード選択スイッチ（受信機側）
１５Ｂ・・・最終出入口センサ設定手段（受信機側）
１５Ｃ・・・外出順路センサ設定手段（受信機側）
１５Ｄ・・・外出順路特定警戒モード選択スイッチ（受信機側）
１６Ａ〜１６Ｃ・・・防犯センサ用有線接続端子（受信機側）
２０・・・信号処理部（センサ側）
２１・・・アンテナ部（センサ側）
２２・・・無線送信部（センサ側）
２３・・・ＰＬＬ制御部（センサ側）
【図１】
2004133817.tif 000003
【図２】
2004133817.tif 000004
【図３】
2004133817.tif 000005
【図４】
2004133817.tif 000006
【図５】
2004133817.tif 000007
【図６】
2004133817.tif 000008
【図７】
2004133817.tif 000009
【図８】
2004133817.tif 000010
【図９】
2004133817.tif 000011
【図１０】
2004133817.tif 000012
【図１１】
2004133817.tif 000013
【図１２】
2004133817.tif 000014
【図１３】
2004133817.tif 000015
【図１４】
2004133817.tif 000016